(57)【要約】      （修正有）【課題】情報記録物の取り忘れによる情報の漏洩を抑制することができるデータ通信システムの制御方法を提供する。【解決手段】データ通信システムは、ユーザが所持する携帯端末と画像形成装置の距離が所定の距離以上、つまり、「Ｎｅａｒ」又は「Ｆａｒ」と測定された場合であり、且つ原稿が画像形成装置から取り去られたことが検知されたとき、携帯端末の表示部に原稿が取り去られたことを示す警告メッセージを表示する。【選択図】図５Ｂ
2019012926.tif 000002
【特許請求の範囲】
【請求項１】
表示部を有すると共にユーザに所持される情報処理装置と、データ通信装置とを備え、前記情報処理装置及び前記データ通信装置が近距離無線通信を行い、前記ユーザは情報が記録された情報記録物を前記データ通信装置に配置するデータ通信システムの制御方法であって、
前記近距離無線通信によって送信された情報に基づいて前記情報処理装置及び前記データ通信装置の距離を測定する測定ステップと、
前記情報記録物の前記データ通信装置への残存を検知する検知ステップと、
前記測定された距離が所定の距離以上であり、且つ前記情報記録物の前記データ通信装置への残存が検知されたとき、前記情報処理装置の表示部に警告を表示させる表示制御ステップと、
データ通信装置は、所定の距離以内に入ったユーザの履歴を保持する保持ステップと、
情報記録物のユーザが前記情報処理装置の表示部に警告を表示させる表示制御ステップによる警告を見ても情報記録物を取りに行かない間に他のユーザが情報記録物を取り去ったことを通知する通知ステップと、
を有することを特徴とするデータ通信システムの制御方法。
【発明の詳細な説明】
【技術分野】
【０００１】
本発明は、データ通信システムの制御方法に関する。
【背景技術】
【０００２】
近距離無線通信機能を有するＭＦＰ等のデータ通信装置は、携帯端末等の情報処理装置と近距離無線通信によってデータ通信を行い、データ通信装置は近距離無線通信において送信される電波の強度に応じて情報処理装置との距離を測定する。さらに、データ通信装置は、測定した情報処理装置との距離に基づいて省電力モードから各種処理を実行する通常モードに移行する。例えば、情報処理装置を所持するユーザがデータ通信装置に接近したことを検知し、検知した結果に基づいて省電力モードから各種処理を実行する通常モードに移行する（例えば、特許文献１参照）。
【０００３】
例えば、コピー処理を行うデータ通信装置において、ユーザがデータ通信装置に接近すると、当該データ通信装置のモードが省電力モードから通常モードに移行する。そして、ユーザによってコピー処理に用いられる画像データが準備され、各種設定情報が設定されると、コピー処理が実行される。データ通信装置において、画像データは、原稿台に配置された原稿等からスキャン処理によって読み取られ、又はデータ通信装置に接続されたＵＳＢ等の記録媒体から取得されて準備される。
【０００４】
この時、ユーザは、上記処理が実行された後、原稿や画像データが記録された記録媒体としての記録紙（以下、まとめて「情報記録物」という。）を取り忘れる場合がある。これにより、例えば、ユーザが情報記録物を取り忘れたことに気付かずにデータ通信装置から離れた場合、ユーザが持つ情報処理装置にデータ通信装置から警告メッセージが送られる（例えば、特許文献２参照）。
【先行技術文献】
【特許文献】
【０００５】
【特許文献１】特開２０１３−１０８８２１号公報
【特許文献２】特開２０１６−１１１５５３号公報
【発明の概要】
【発明が解決しようとする課題】
【０００６】
しかしながら、ユーザはその通知を見ないか無視する場合がある。これにより、例えばユーザ以外の他のユーザが持ち出し、持ち出された情報記録物からユーザ以外の他のユーザに情報が漏洩してしまう可能性がある。
【０００７】
本発明の目的は、情報記録物の取り忘れによる情報の漏洩を抑制することにある。また、取り忘れた情報記録物を持ち出したユーザを特定することが可能になるデータ通信システムの制御方法、プログラム、データ通信システム、データ通信装置、及び情報処理装置を提供することにある。
【課題を解決するための手段】
【０００８】
表示部を有すると共にユーザに所持される情報処理装置と、データ通信装置とを備え、前記情報処理装置及び前記データ通信装置が近距離無線通信を行い、前記ユーザは情報が記録された情報記録物を前記データ通信装置に配置するデータ通信システムの制御方法であって、前記近距離無線通信によって送信された情報に基づいて前記情報処理装置及び前記データ通信装置の距離を測定する測定ステップと、前記情報記録物の前記データ通信装置への残存を検知する検知ステップと、前記測定された距離が所定の距離以上であり、且つ前記情報記録物の前記データ通信装置への残存が検知されたとき、前記情報処理装置の表示部に警告を表示させる表示制御ステップと、データ通信装置は、所定の距離以内に入ったユーザの履歴を保持する保持ステップと、情報記録物のユーザが前記情報処理装置の表示部に警告を表示させる表示制御ステップによる警告を見ても情報記録物を取りに行かない間に他のユーザが情報記録物を取り去ったことを通知する通知ステップと、を有することを特徴とする。
【発明の効果】
【０００９】
本発明によれば、情報記録物の取り忘れによる情報の漏洩を抑制することができる。
【図面の簡単な説明】
【００１０】
【図１】本発明の実施の形態に係るデータ通信装置としての画像形成装置を含むデータ通信システムの構成を概略的に示すブロック図である。
【図２】図１における画像形成装置の構成を概略的に示すブロック図である。
【図３】図１における携帯端末の構成を概略的に示すブロック図である。
【図４】図１のデータ通信システムによるＢＬＥ通信の設定処理を説明するための図である。
【図５Ａ】図１のデータ通信システムによって実行される警告表示処理を説明するためのフローチャートである。
【図５Ｂ】図１のデータ通信システムによって実行される警告表示処理を説明するためのフローチャートである。
【図６】図３の携帯端末の表示部に表示される警告メッセージの一例を示す図である。
【図７】図３の携帯端末の表示部に表示される警告メッセージの一例を示す図である。
【図８】図１における画像形成装置のユーザ接続履歴への保存処理を説明するためのフローチャートである。
【図９】図８のフローチャートにおけるユーザ接続履歴への保存結果が記録されたテーブルの一例を示す図である。
【図１０】本実施の形態における原稿の残存結果が記録されたテーブルの一例を示す図である。
【発明を実施するための形態】
【００１１】
以下、本発明の実施の形態を図面を参照しながら詳述する。本実施の形態では、データ通信装置としての画像形成装置に本発明を適用した場合について説明するが、本発明の適用先は画像形成装置に限られず、近距離無線通信を行うことができるデータ通信装置であれば本発明を適用することができる。
【００１２】
図１は、本発明の実施の形態に係るデータ通信装置としての画像形成装置１０１を含むデータ通信システム１００の構成を概略的に示すブロック図である。図１において、データ通信システム１００は画像形成装置１０１及び情報処理装置としての携帯端末１０２を備える。画像形成装置１０１は、コントローラ部１０３、スキャナ部１０４、プリンタ部１０５、ＵＩ部１０６、及び近距離無線通信部１０７を備える。携帯端末１０２は、コントローラ部１０８、ＵＩ部１０９、及び近距離無線通信部１１０を備える。
【００１３】
画像形成装置１０１及び携帯端末１０２は近距離無線通信部１０７，１１０を用いて互いに近距離無線通信、例えば、ＢＬＥ（Ｂｌｕｅｔｏｏｔｈ（登録商標） Ｌｏｗ Ｅｎｅｒｇｙ）を用いた無線通信（以下、「ＢＬＥ通信」という。）を行う。画像形成装置１０１は、例えば、スキャナ機能やコピー機能等の各種機能を有するＭＦＰからなる。画像形成装置１０１では、ユーザのＵＩ部１０６の操作によって設定された設定情報に基づいてコントローラ部１０３がスキャナ部１０４及びプリンタ部１０５にジョブを送信する。
【００１４】
スキャナ部１０４及びプリンタ部１０５は受信したジョブに応じてスキャン処理やコピー処理を実行する。携帯端末１０２は、例えば、スマートフォン等の携帯電話、タブレット型パソコン、ノート型パソコン、ＰＤＡ等からなる。携帯端末１０２では、コントローラ部１０８から送信された制御信号に基づいてＵＩ部１０９に各種画面が表示される。
【００１５】
図２は、図１における画像形成装置１０１の構成を概略的に示すブロック図である。図２において、画像形成装置１０１は、図１のコントローラ部１０３、スキャナ部１０４、プリンタ部１０５、ＵＩ部１０６、及び近距離無線通信部１０７の他に、原稿検知部２０１を備える。コントローラ部１０３は、ＣＰＵ２０２、ＲＡＭ２０３、ＲＯＭ２０４、記憶装置２０５、画像処理部２０６、エンジンＩ／Ｆ２０７、スキャナＩ／Ｆ２０８、近距離無線コントローラ２０９、操作部コントローラ２１０、及び外部Ｉ／Ｆ２１１を備える。コントローラ部１０３に設けられる上述した各構成要素はシステムバス２１２で互いに接続されている。ＵＩ部１０６は表示部２１３を備える。
【００１６】
原稿検知部２０１は、スキャナ部１０４で用いられる原稿が画像形成装置１０１の図示しない原稿台に配置されているかを検知する。本実施の形態において、原稿検知部２０１は、例えば、コピー処理が終了した後、当該コピー処理で用いられた原稿が画像形成装置１０１の原稿台に残存しているかを検知する。
【００１７】
ＣＰＵ２０２は画像形成装置１０１に設けられる各構成要素を統括的に制御する。ＲＡＭ２０３は、ＣＰＵ２０２の作業領域として用いられ、ＣＰＵ２０２によって用いられる演算データや各種プログラムを格納する。さらに、ＲＡＭ２０３は、画像処理部２０６によって画像処理された画像データを一時的に格納する。ＲＯＭ２０４は、ＣＰＵ２０２によって用いられる各種プログラム、画像データ、及び設定データを格納する。記憶装置２０５はデータ量が大きいプログラム及び各種データを格納する。エンジンＩ／Ｆ２０７はプリンタ部１０５とデータ通信を行う。
【００１８】
例えば、エンジンＩ／Ｆ２０７はＣＰＵ２０２から送信された制御信号に応じてコピー処理の実行に対応するジョブをプリンタ部１０５に送信し、プリンタ部１０５は受信したジョブに基づいてコピー処理を実行する。スキャナＩ／Ｆ２０８はスキャナ部１０４とデータ通信を行う。
【００１９】
例えば、スキャナＩ／Ｆ２０８はＣＰＵ２０２から送信された制御信号に応じてスキャン処理の実行に対応するジョブをスキャナ部１０４に送信し、スキャナ部１０４は受信したジョブに基づいてスキャン処理を実行する。近距離無線コントローラ２０９は近距離無線通信部１０７を介して携帯端末１０２とＢＬＥ通信を行う。操作部コントローラ２１０はＵＩ部１０６とデータ通信を行う。例えば、操作部コントローラ２１０は、ユーザがＵＩ部１０６を用いて設定した設定情報をＵＩ部１０６から取得する。
【００２０】
また、操作部コントローラ２１０は、ＣＰＵ２０２から送信された制御信号に基づいてＵＩ部１０６の表示部２１３に各種操作画面を表示させる。外部Ｉ／Ｆ２１１は、例えば、図示しないＵＳＢコネクタで接続された各種機器、図示しない有線ＬＡＮやＷｉ−Ｆｉなどを介して接続された各種機器、及び公衆回線網を介して接続されたＦＡＸ装置と夫々データ通信を行う。
【００２１】
図３は、図１における携帯端末１０２の構成を概略的に示すブロック図である。図３において、携帯端末１０２は、図１のコントローラ部１０８、ＵＩ部１０９、及び近距離無線通信部１１０を備える。コントローラ部１０８は、ＣＰＵ３０１、ＲＡＭ３０２、ＲＯＭ３０３、記憶装置３０４、通話部３０５、表示コントローラ３０６、操作部コントローラ３０７、近距離無線コントローラ３０８、及び通信部３０９（Ｗｉ−Ｆｉなど）を備える。コントローラ部１０８に設けられる上述した各構成要素はシステムバス３１０で互いに接続されている。ＵＩ部１０９は、表示部３１１、タッチパネル３１２、及びキー３１３を備える。
【００２２】
ＣＰＵ３０１は携帯端末１０２に設けられる各構成要素を統括的に制御する。ＲＡＭ３０２は、ＣＰＵ３０１の作業領域として用いられ、ＣＰＵ３０１によって用いられる演算データや各種プログラムを格納する。ＲＯＭ３０３は、ＣＰＵ３０１によって用いられる各種プログラム、画像データ、設定データ、画像形成装置１０１と通信を行う際に用いられる各種アプリケーション等を格納する。記憶装置３０４はデータ量が大きいプログラム及び各種データを格納する。通話部３０５は公衆回線を介して接続された携帯電話等と電話を行う。
【００２３】
表示コントローラ３０６はＵＩ部１０９の表示部３１１とデータ通信を行う。例えば、表示コントローラ３０６はＣＰＵ３０１から送信された制御信号に応じて表示部３１１への表示に対応する表示制御ジョブを表示部３１１に送信する。本実施の形態において、表示部３１１には、ＣＰＵ３０１の制御信号に応じて、例えば、後述する図６に示す警告メッセージが表示される。操作部コントローラ３０７はＵＩ部１０９のタッチパネル３１２及びキー３１３とデータ通信を行う。
【００２４】
例えば、操作部コントローラ３０７は、ユーザのタッチパネル３１２及びキー３１３の操作によって設定された設定情報をタッチパネル３１２及びキー３１３から取得する。近距離無線コントローラ３０８は近距離無線通信部１１０を介して画像形成装置１０１とＢＬＥ通信を行う。通信部３０９は、例えば、図示しないＵＳＢコネクタで接続された各種機器とデータ通信を行う。
【００２５】
次に、データ通信システム１００によって行われるＢＬＥ通信について説明する。図４は、図１のデータ通信システム１００によるＢＬＥ通信の設定処理を説明するための図である。図４の処理では、画像形成装置１０１及び携帯端末１０２によるＢＬＥ通信が確立されるまでを説明する。
【００２６】
図４において、まず、画像形成装置１０１は、信号の送受信を行わないスタンバイ状態から一定の間隔でアドバタイジング・パケットを携帯端末１０２に送信するアドバタイジング状態に遷移する（ステップＳ４０１）。アドバタイジング・パケットには、後述するＢＬＥ通信による距離の測定で用いられるＴｘ Ｐｏｗｅｒ Ｌｅｖｅｌが含まれる。次いで、携帯端末１０２は、画像形成装置１０１から送信されたアドバタイジング・パケットを受信すると、ＢＬＥ通信の設定情報（以下、「ＢＬＥ設定情報」という。）の送信要求通知を画像形成装置１０１に送信する（ステップＳ４０２）。
【００２７】
次いで、画像形成装置１０１は受信した送信要求通知に応じてＢＬＥ設定情報を含むアドバタイジング・パケットを携帯端末１０２に送信する（ステップＳ４０３）。次いで、携帯端末１０２は、受信したアドバタイジング・パケットに含まれるＢＬＥ設定情報に基づいてＢＬＥ通信を行う通信先、すなわち、画像形成装置１０１を特定する（ステップＳ４０４）。次いで、携帯端末１０２は、ステップＳ４０４で特定した画像形成装置１０１からアドバタイジング・パケットを受信すると、画像形成装置１０１に接続要求通知を送信する（ステップＳ４０５）。
【００２８】
次いで、画像形成装置１０１は、携帯端末１０２から送信された接続要求通知に応じて携帯端末１０２とのＢＬＥ通信の接続を行う（ステップＳ４０６）。これにより、画像形成装置１０１及び携帯端末１０２のＢＬＥ通信が確立される。
【００２９】
図５Ａ及び図５Ｂは、図１のデータ通信システム１００によって実行される警告表示処理を説明するためのフローチャートである。
【００３０】
ユーザは、例えば、コピー処理が実行された後、コピー処理で用いられた原稿を取り忘れる場合がある。これにより、例えば、原稿を取り忘れたことに気付かずに画像形成装置１０１から離れた場合、ユーザが取り忘れた原稿をユーザ以外の他のユーザが持ち出し、持ち出された原稿からユーザ以外の他のユーザに情報が漏洩してしまう可能性がある。
【００３１】
これに対応して、図５Ａ及び図５Ｂの処理では、ユーザが所持する携帯端末１０２及び画像形成装置１０１の距離が所定の距離以上であり、且つ画像形成装置１０１の原稿台に原稿が残存していることが検知されたとき、携帯端末１０２の表示部３１１に警告メッセージを表示させる。なお、画像形成装置１０１及び携帯端末１０２の距離の測定は、画像形成装置１０１及び携帯端末１０２の少なくとも一方で行われていればよく、図５Ａ及び図５Ｂの処理では、一例として、携帯端末１０２が上記距離の測定を行う場合について説明する。
【００３２】
なお、以下の説明における図５Ａ及び図５Ｂの処理の主体はそれぞれＣＰＵ２０２、ＣＰＵ３０１である。
【００３３】
図５Ａの処理において、まず、画像形成装置１０１は、図４に示すＢＬＥ通信の設定処理を実行し、携帯端末１０２とのＢＬＥ通信を確立する（ステップＳ５０１）。次いで、画像形成装置１０１はユーザのＵＩ部１０６の操作によって設定された設定情報に基づいて、例えば、コピー処理を実行する（ステップＳ５０２）。次いで、画像形成装置１０１は、コピー処理が完了すると、コピー処理が完了したことを示す完了通知を携帯端末１０２に送信する（ステップＳ５０３）。
【００３４】
次いで、画像形成装置１０１は、後述するステップＳ５１４、Ｓ５１７で携帯端末１０２から確認依頼通知が送信されるまで待機する（ステップＳ５０４）。そして、携帯端末１０２から送信された確認依頼通知を受信すると（ステップＳ５０４でＹＥＳ）、受信した確認依頼通知に応じて原稿検知部２０１の検知結果を取得する。さらに、画像形成装置１０１は、原稿台に原稿が残存しているか否かを検知する（ステップＳ５０５）。前記取得した検知結果を検知結果通知Ａとして携帯端末１０２に送信する（ステップＳ５０６）。
【００３５】
検知結果通知Ａは原稿が画像形成装置１０１の原稿台に残存しているときの通知で、携帯端末１０２の表示部へは例えば図６のような表示内容となる。
【００３６】
次いで、画像形成装置１０１は、取得した検知結果を解析し、原稿が画像形成装置１０１の原稿台に残存しているか否かを判別する（ステップＳ５０７）。ステップＳ５０７の判別の結果、原稿が画像形成装置１０１の原稿台に残存しているとき、画像形成装置１０１はステップＳ５０５の処理に戻り、原稿台に原稿が残存している旨の検知結果通知Ａを携帯端末１０２に送信する。
【００３７】
ステップＳ５０７の判別の結果、原稿が画像形成装置１０１の原稿台に残存していないとき、検知結果通知Ｂを携帯端末１０２に送信する（ステップＳ５０８）。検知結果通知Ｂは原稿が画像形成装置１０１の原稿台に残存しなくなった時の通知で、携帯端末１０２の表示部へは例えば図７のような表示内容となる。画像形成装置１０１は以降、検知結果通知を携帯端末１０２に送信することなく本処理を終了する。
【００３８】
一方、図５Ｂの処理において、携帯端末１０２は、図４に示すＢＬＥ通信の設定処理を実行し、画像形成装置１０１とのＢＬＥ通信を確立する（ステップＳ５１１）。次いで、携帯端末１０２は、ステップＳ５０３で画像形成装置１０１から完了通知が送信されるまで待機する（ステップＳ５１２）。そして、画像形成装置１０１から送信された完了通知を受信すると（ステップＳ５１２でＹＥＳ）、画像形成装置１０１及び携帯端末１０２の距離が予め設定された所定の距離より小さい、つまり、「Ｉｍｍｅｄｉａｔｅ」であるか否かを判別する（ステップＳ５１３）。
【００３９】
本実施の形態では、所定の距離としてＢＬＥ通信を行うことができる距離が設定され、画像形成装置１０１から送信されるアドバタイジング・パケットに含まれるＴｘ Ｐｏｗｅｒ Ｌｅｖｅｌを閾値とする。そして、当該Ｔｘ Ｐｏｗｅｒ Ｌｅｖｅｌと携帯端末１０２がＢＬＥ通信によって受信した電波の強さ（以下、「受信電波の強さ」という。）を比較し、比較した結果に基づいて画像形成装置１０１及び携帯端末１０２の距離が測定される（測定手段）。測定された距離は、「Ｉｍｍｅｄｉａｔｅ」、「Ｎｅａｒ」、「Ｆａｒ」の３段階のいずれかに分別される。
【００４０】
例えば、受信電波の強さがＴｘ Ｐｏｗｅｒ Ｌｅｖｅｌとほぼ等しい場合、測定された距離は「Ｉｍｍｅｄｉａｔｅ」に分別される。受信電波の強さがＴｘ Ｐｏｗｅｒ Ｌｅｖｅｌより小さい場合（減衰量が小）、測定された距離は「Ｎｅａｒ」に分別され、受信電波の強さがＴｘ Ｐｏｗｅｒ Ｌｅｖｅｌよりもっと小さい場合（減衰量が大）、測定された距離は「Ｆａｒ」に分別される。本実施の形態では、測定された距離が「Ｉｍｍｅｄｉａｔｅ」である場合、携帯端末１０２を所持するユーザが画像形成装置１０１から離れていない、つまり、画像形成装置１０１の近傍にいることを示す。
【００４１】
また、測定された距離が「Ｎｅａｒ」又は「Ｆａｒ」である場合、携帯端末１０２を所持するユーザが画像形成装置１０１から離れたことを示す。
【００４２】
ステップＳ５１３の判別の結果、画像形成装置１０１及び携帯端末１０２の距離が予め設定された所定の距離以上、つまり、「Ｎｅａｒ」又は「Ｆａｒ」であるとき、携帯端末１０２は、当該携帯端末１０２を所持するユーザが画像形成装置１０１から離れたと判断する。そして、コピー処理で用いられた原稿が画像形成装置１０１の原稿台に残存しているか否かを確認する確認依頼通知を画像形成装置１０１に送信する（ステップＳ５１４）。
【００４３】
次いで、携帯端末１０２は、ステップＳ５０６で画像形成装置１０１から送信された検知結果通知を受信し、受信した検知結果通知を解析する。その後、携帯端末１０２は、検知結果通知の解析によって原稿が画像形成装置１０１の原稿台に残存しているか否かを判別する（ステップＳ５１５）。
【００４４】
ステップＳ５１５の判別の結果、原稿が画像形成装置１０１の原稿台に残存しているとき、携帯端末１０２は、当該携帯端末１０２の表示部３１１に図６に示すような原稿の取り忘れを示す警告メッセージＡ（図６）を表示する（ステップＳ５１６）（表示制御手段）。すなわち、本実施の形態では、携帯端末１０２を所持するユーザが画像形成装置１０１から離れたと判断され、且つ原稿の原稿台への残存が検知されると、ユーザが原稿を取り忘れたと判別する。そして、ユーザが所持する携帯端末１０２の表示部３１１に原稿の取り忘れを示す警告メッセージが表示される。
【００４５】
携帯端末１０２はステップＳ５１６の処理の後、画像形成装置１０１から検知結果通知Ｂを受信したか否かを判別する（ステップＳ５１９）。
【００４６】
ステップＳ５１９の判別の結果、携帯端末１０２は検知結果通知Ｂを受信していなければステップＳ５１３に戻る。ステップＳ５１９の判別の結果、検知結果通知Ｂを受信していれば警告メッセージＢ（図７）を表示して携帯端末１０２は本処理を終了する。
【００４７】
すなわち、本実施の形態では、携帯端末１０２を所持するユーザが警告メッセージＡを受信したあと、そのメッセージを見なかったか無視している間に、ユーザ以外の人が原稿を取り去る。それを検知すると、ユーザが画像形成装置１０１から離れた時に原稿が取り去られたと判別し、ユーザが所持する携帯端末１０２の表示部３１１に原稿が取り去られたことを示す警告メッセージＢが表示される。
【００４８】
ステップＳ５１３の判別の結果、画像形成装置１０１及び携帯端末１０２の距離が予め設定された所定の距離より短い、つまり、「Ｉｍｍｅｄｉａｔｅ」であるとき、携帯端末１０２は、原稿が画像形成装置１０１の原稿台に残存しているか否かを確認する確認依頼通知を画像形成装置１０１に送信する（ステップＳ５１７）。次いで、携帯端末１０２は、ステップＳ５０６で画像形成装置１０１から送信された検知結果通知Ａを受信し、受信した検知結果通知を解析して原稿が画像形成装置１０１の原稿台に残存しているか否かを判別する（ステップＳ５１８）。
【００４９】
ステップＳ５１８の判別の結果、原稿が画像形成装置１０１の原稿台に残存しているとき、携帯端末１０２はステップＳ５１３の処理に戻る。ステップＳ５１５の判別の結果又はステップＳ５１８の判別の結果、原稿が画像形成装置１０１の原稿台に残存していないとき、ユーザが適正に原稿を回収したと判別して携帯端末１０２は本処理を終了する。
【００５０】
図５Ａ及び図５Ｂの処理によれば、ユーザに所持される携帯端末１０２及び画像形成装置１０１の距離が所定の距離以上、つまり、「Ｎｅａｒ」又は「Ｆａｒ」であり、且つ画像形成装置１０１の原稿台に原稿が残存していることが検知されたとき、携帯端末１０２の表示部３１１に図６に示す警告メッセージが表示される。
【００５１】
ここで、原稿が画像形成装置１０１の原稿台に残存したまま、ユーザが画像形成装置１０１から所定の距離以上離れた場合は、ユーザが原稿を取り忘れた場合に他ならない。したがって、原稿を取り忘れたユーザに警告を表示することができ、もって、原稿の取り忘れによる情報の漏洩を抑制することができる。
【００５２】
また、図５Ａ及び図５Ｂの処理によれば、ＢＬＥ通信によって画像形成装置１０１から送信されるＴｘ Ｐｏｗｅｒ Ｌｅｖｅｌ及び携帯端末で受信する受信電波の強さに基づいて画像形成装置１０１及び携帯端末１０２の距離が測定される。これにより、例えば、衛星から電波を受信するＧＰＳを用いた測距を行うことができないビルや地下の部屋においても、画像形成装置１０１及び携帯端末１０２の距離を測定することができるので、画像形成装置１０１及び携帯端末１０２の配置場所に関して制約を受けることなく、ユーザが原稿を取り忘れたと判断することができる。
【００５３】
さらに、図５Ａ及び図５Ｂの処理によれば、所定の距離はＢＬＥ通信を行うことができる（近距離無線通信可能）距離に該当する。これにより、ＢＬＥ通信における受信電波の強さに基づいて画像形成装置１０１及び携帯端末１０２の距離を確実に測定することができる。
【００５４】
これまでは、情報記録物の取り忘れを警告するフローを説明したが、以下では、記録物を取り除いたユーザを特定可能にするフローについて説明する。
【００５５】
図８は図１のデータ通信システム１００によって実行されるユーザ接続履歴の取得から保存するまでの処理を説明するためのフローチャートである。ステップＳ８０１のＢＬＥ通信の確立は、図５Ａおよび図５ＢのステップＳ５０１およびＳ５１１で説明した処理と同じ処理を行なうのでここでは省略する。
【００５６】
次に画像形成装置１０１は、ユーザが持つ携帯端末１０２が保持する携帯端末種別やユーザを特定することが可能なユーザＩＤなど（ユーザ情報）を受信する（ステップＳ８０２）。前記受信したユーザ情報をＣＰＵ２０２により記憶装置２０５に保存する（ステップＳ８０３）。
【００５７】
記憶装置２０５に保存されたユーザ情報は、図９の例のように接続開始時間、接続終了時間とともにユーザが接続中に画像形成装置１０１に設置した情報記録物と画像形成装置１０１と接続中に取り去った情報記録物の情報もユーザ接続履歴テーブルに保存される。このユーザ接続履歴テーブルは、画像形成装置１０１の表示部２１３により後から閲覧できるようになっている。
【００５８】
以上、本発明について実施の形態を用いて説明したが、本発明は上述した実施の形態に限定されるものではない。
【００５９】
例えば、上述した図５Ａ、図５Ｂの処理において、画像形成装置１０１及び携帯端末１０２の距離の測定を実行する主体は携帯端末１０２に限られず、例えば、画像形成装置１０１であってもよい。これにより、携帯端末１０２による測定処理の負荷を軽減することができる。
【００６０】
また、上述した図５Ａ、図５Ｂの処理において、原稿の残存が検知された際、図１０に示すようなテーブルに検知結果を記録しても良い。テーブルには、例えば、原稿の残存を検知した時間や原稿の残存を行ったユーザを特定するユーザ情報が含まれることが好ましい。その結果、例えば、ユーザがＢＬＥ通信を行えない距離まで画像形成装置１０１から離れてしまっても、図１０に示すテーブルに基づいて警告メッセージを表示させることができる。例えば、Ｗｉ−ｆｉを用いた無線通信を用いて定期的に携帯端末１０２の表示部３１１に警告メッセージを表示させることができる。
【００６１】
上述した図５Ａ、図５Ｂの処理において、検知された原稿の残存に基づいて警告メッセージを表示しているが、残存を検知する対象は原稿以外の情報記録物でもよい。例えば、コピー処理によって画像データが印刷された印刷物や画像形成装置に接続されるＵＳＢを含む記録媒体であってもよい。
【００６２】
本発明は、上述の実施の形態の１以上の機能を実現するプログラムを、ネットワーク又は記憶媒体を介してシステム又は装置に供給する。また、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００６３】
１０１ 画像形成装置
１０２ 携帯端末
１０７，１１０ 近距離無線通信部
２０１ 原稿検知部
３１１ 表示部
【図１】
2019012926.tif 000003
【図２】
2019012926.tif 000004
【図３】
2019012926.tif 000005
【図４】
2019012926.tif 000006
【図５Ａ】
2019012926.tif 000007
【図５Ｂ】
2019012926.tif 000008
【図６】
2019012926.tif 000009
【図７】
2019012926.tif 000010
【図８】
2019012926.tif 000011
【図９】
2019012926.tif 000012
【図１０】
2019012926.tif 000013